(57)【要約】【課題】余分な放電を防止する部品を必要としない経済的で放電遮断性の良い電気集塵装置の放電機構を得ることを目的とする。【解決手段】互いに対向する陰極極板が陰極接点板を介して接続されて構成されたコの字状の陰極極板部と、この陰極極板部の互いに対向した陰極極板間のほぼ中間に設けられた陽極極板の一端に陽極接点板が接続されて構成された陽極極板部と、を備え、前記陽極接点板が、前記陰極接点板と対向するように前記コの字状の陰極極板部の開口側に前記陰極極板と放電しない距離で配置されるように構成されたものである。【選択図】　　　　図３
2004050078.tif 000002
【特許請求の範囲】
【請求項１】
互いに対向する陰極極板が陰極接点板を介して接続されて構成されたコの字状の陰極極板部と、この陰極極板部の互いに対向した陰極極板間のほぼ中間に設けられた陽極極板の一端に陽極接点板が接続されて構成された陽極極板部と、を備え、前記陽極接点板が、前記陰極接点板と対向するように前記コの字状の陰極極板部の開口側に前記陰極極板と放電しない距離で配置されるように構成されたことを特徴とする電気集塵装置の放電機構。
【請求項２】
前記陽極接点板と前記陰極接点板とが同一形状であることを特徴とする請求項１に記載の電気集塵装置の放電機構。
【請求項３】
前記互いの対向する陰極極板が同一形状であることを特徴とする請求項１又は２のいずれかに記載の電気集塵装置の放電機構。
【請求項４】
互いに対向する陰極極板が陰極接点板を介して接続されて構成されたコの字状の陰極極板部と、この陰極極板部の互いに対向した陰極極板間のほぼ中間に設けられた陽極極板の一端に陽極接点板が接続されて構成された陽極極板部と、この陽極極板部及び前記陰極極板部とを収納するボックスと、を備え、前記ボックスが、前記陽極極板の空気流の下流側を覆うリブを具備したことを特徴とする電気集塵装置の放電機構。
【請求項５】
前記リブが、前記ボックスの外郭よりも前記陽極極板側に位置することを特徴とする請求項４に記載の電気集塵装置の放電機構。
【請求項６】
前記コ字状の陰極極板と陽極極板とからなる放電機構が横方向に長い形状であることを特徴とする請求項１から５までのいずれかに記載の電気集塵装置の放電機構。
【請求項７】
請求項１から６までのいずれかの電気集塵装置の放電機構が空気調和機風路内の熱交換器の上流側に配置されたことを特徴とする空気調和機。
【発明の詳細な説明】
【０００１】
【発明の属する技術分野】
この発明は電気集塵装置の放電機構及びそれを用いた空気調和機に関するものである。
【０００２】
【従来の技術】
従来の電気集塵装置の放電機構としては、特開昭６１−１５９０５３号公報のような構成のものがあるものの、このものは、その断面コの字状に折り曲げられた陰極極板で細い放電線を所定距離隔で包囲する構造としているために、この放電線に数千ボルトの高電圧が印加されると、通過空気流の抵抗を小さくするために細い電線を用いているために、コロナ放電により放電寿命が短くなるという問題が生じる。
【０００３】
従って、この問題を解決するために、その後の従来電気集塵装置の放電機構としては、図５に示すように、放電線の換わりに放電極板を用いるようになった。
しかし、このものは、この図に示すように、互いの陰・陰極極板のそれぞれの構造をクローズ枠構造とし、かつ、放電エレメントの集塵効率とスペースの関係から陰・陽極極板１２，１１の互いの長さをほぼ同じにしているので、放電を行うために各陰極極板１２の間にそれぞれ陽極極板１１を配置した時、互いの陽極極板間同志を電気的に接続する陽極接点板１１ｂと、互いの陰極極板間同志を電気的に接続する陰極接点板１２ｂとが接近し、この接近により陰極接点板１１ｂと陽極接点板１１ｂとの間で放電するため、互いの陰・陽極接点板間に絶縁部材９を挿入しなければならず、余分な絶縁部材９を必要とする構造になる。
【０００４】
即ち、この絶縁部材９は陰・陽極接点板を支持するＵ字状の絶縁支持部９ａを有し、このＵ字状の絶縁支持部９ａは図６に示すように陽極極板１１の陽極接点板１１ｂと陰極極板１２の陰極接点板１２ｂのそれぞれを嵌入支持する。
なお、このＵ字状の絶縁支持部９ａを有する絶縁部材９ははケース本体２０に支持される。
【０００５】
また、このように構成された陰極極板１２の側面１２ａと、この陰極極板１２の間のほぼ中央に配置された陽極極板１１の側面１１ａとは空気の流れ方向に対してほぼ直交するように配置され、これら配置された極板間の放電によりここを通過する空気中の異物をイオン化して捕獲・除去し、空気を綺麗して室内等へ供給することになる。
【０００６】
【発明が解決しようとする課題】
以上説明したように、従来の電気集塵装置の放電機構は、放電線を使用しているものでは、放電寿命が短くなるという問題があった。
【０００７】
また、放電極板を用いたしても、放電エレメントの集塵効率とスペースの関係から陰・陽極接点板間の放電を防ぐために余分な絶縁部材を挿入しなければならず、部品点数が多くなり、コストも高くなるという問題があった。
【０００８】
また、放電極板の側面を気の流れ方向に対してほぼ直交するように配置する構造なので、細長い風路の製品等に用いると、電極板を多く必要とするため、構成部品が多くなり、コストも高くなるという問題があった。
【０００９】
この発明は上記のような問題点を解消するためになされたもので、放電寿命が長く、構成部品が少なく、低コストの電気集塵装置の放電機構及びそれを用いた空気調和機を得ることを目的とする。
【００１０】
また、放電遮断性に優れた電気集塵装置の放電機構及びそれを用いた空気調和機を得ることを目的とする。
【００１１】
【課題を解決するための手段】
この発明においては、互いに対向する陰極極板が陰極接点板を介して接続されて構成されたコの字状の陰極極板部と、この陰極極板部の互いに対向した陰極極板間のほぼ中間に設けられた陽極極板の一端に陽極接点板が接続されて構成された陽極極板部と、を備え、前記陽極接点板が、前記陰極接点板と対向するように前記コの字状の陰極極板部の開口側に前記陰極極板と放電しない距離で配置されるように構成されたものである。
【００１２】
また、前記陽極接点板と前記陰極接点板とが同一形状のものである。
【００１３】
また、前記互いの対向する陰極極板が同一形状のものである。
【００１４】
また、互いに対向する陰極極板が陰極接点板を介して接続されて構成されたコの字状の陰極極板部と、この陰極極板部の互いに対向した陰極極板間のほぼ中間に設けられた陽極極板の一端に陽極接点板が接続されて構成された陽極極板部と、この陽極極板部及び前記陰極極板部とを収納するボックスと、を備え、前記ボックスが、前記陽極極板の空気流の下流側を覆うリブを具備したものである。
【００１５】
また、前記リブが、前記ボックスの外郭よりも前記陽極極板側に位置するものである。
【００１６】
また、前記電気集塵装置の放電機構が横方向に長い形状のものである。
【００１７】
また、請求項１から６までのいずれかの電気集塵装置の放電機構が空気調和機風路内の熱交換器の上流側に配置されたものである。
【００１８】
【発明の実施の形態】
実施の形態１．
以下に、本発明の実施の形態１について図１〜４を用いながら説明する。
なお、これらの図１〜３は電気集塵装置の放電機構の斜視図又は断面図であり、また、図４はこの電気集塵装置の放電機構が装着された空気調和機４の断面図である。
【００１９】
まず、図４に示すように、室内等に設置される空気調和機４の前面に空気吸込口６ａを有する吸込グリル６と空気吸込口５ａを有する天板パネル５が設けられ、これらの吸込グリル６と天板パネル５の背後に熱交換器８が送風機７を覆うように熱交換器８と送風機７が順次配置され、空気調和機４に内蔵されている。
また、吸込グリル６の下部には、送風機７からの空気を吹出す空気吹出口９が送風機の風路によって形成されており、この風路の空気吹出口９側には吹出フラップ１０が設けられ、この吹出フラップ１０の動作により吹出空気の方向が調整される。
【００２０】
また更に、吸込グリル６と熱交換器８の間には、電気集塵装置３が設けられている。
なお、この電気集塵装置３は図３に示すように陰極極板１２と、この互いの陰極極板１２間に設けられ、イオン放電する陽極極板１１とを支持して囲うプラスチク材からなるボックス１３と、このボックス１３に取付けられ、陰・陽極極板部を覆うボックスカバー１４とで構成されている。
【００２１】
なお、この時の放電エレメントとしての陰極極板部の構造は、図２に示すように、陰極接点板１２ａを挟んで陰極極板１２が互いに対向するように配置されて略横長コ字形状の構造をなし、また、他方の放電エレメントとしての陽極極板部は、陽極極板の一端に陽極接点板１１ａを有したＩ、Ｌ、又はＴの字状の構造をなし、この陽極極板部は、その陽極接点板１１ａがコ字状陰極極板部の開口側に陰極極板１２と放電しない部位に位置して、その陽極極板１１がコ字状陰極極板部の互いに対向した陰極極板１２間のほぼ中間に位置するような構造となっている。
【００２２】
なお、このように構成された放電機構の動作は、陽極接点板１１ａと陰極接点板１２ａに電源装置から電圧が印加されると、陽極極板１１から陰極極板１２への放電が始まり、この陽極極板１１と陰極極板１２との間の塵、即ち、空気中の塵等をイオン化して捕獲することになる。
【００２３】
また、この時、電気集塵装置３のほぼ横中央に位置する陽極極板１１の位置に対向して、ボックス１３のほぼ横中央に当該ボックス１３の外殻よりも陽極極板１１側に近づけて、陽極極板１１を覆うようにリブ１３ａを設けると、陽極極板１１の背面、即ち空気流の下流側に熱交換器８等の電気伝導性物体が設けられても、陽極極板１１と伝導物体との沿面距離を大きくすることができるため、陽極極板１１から熱交換器８等の伝導物体に放電しなくなるので、放電遮断性の良い電気集塵装置の放電機構が得られる。
【００２４】
しかも、前述したように、リブ１３ａをボックス１３の外殻よりも陽極極板１１側に近づけと、更に沿面距離が大きくなるため、放電遮断性が更に良くなることは明らかである。
従って、このような放電機構を取付スペースの関係から空気調和機の熱交換器８の上流に接近させて配置しても、陰極極板１１と熱交換器８との沿面距離を大きく取れるため、放電遮断性が優れ、空気を綺麗にするコンパクトな空気調和機が得られる。
【００２５】
なお、以上の説明では、コ字状の陰極極板と陽極極板とからなる放電機構を横方向に長い形状のものを横置にした例で説明したが、このものを縦方向に配置して使用しても良い。但し、その時、製品が縦長の時は良いが、縦に短く、横に長い時は、陰極極板と陽極極板の縦方向の長さを短して多くの極板を配置しなければならなくなるため、コストの高いものとなる。
【００２６】
従って、このような横長の電気集塵装置の放電機構を横長の空気調和機の室内ユニット風路内に設けると、陰極極板と陽極極板の数を少なくできるため、経済的な空気調和機が得られる。
【００２７】
【発明の効果】
以上説明したように、この発明においては、互いに対向する陰極極板が陰極接点板を介して接続されて構成されたコの字状の陰極極板部と、この陰極極板部の互いに対向した陰極極板間のほぼ中間に設けられた陽極極板の一端に陽極接点板が接続されて構成された陽極極板部と、を備え、前記陽極接点板が、前記陰極接点板と対向するように前記コの字状の陰極極板部の開口側に前記陰極極板と放電しない距離で配置されるように構成されたので、陰・陽極接点板間に絶縁部材を挿入しなくても陰・陽極接点板間で放電しなくなると共に、陰極極板とも放電しなくなるため、余分な放電を防止する絶縁部品等を必要としない経済的で放電遮断性の良い電気集塵装置の放電機構が得られる。
【００２８】
また、前記陽極接点板と前記陰極接点板とが同一形状のものであるので、生産性の良い電気集塵装置の放電機構が得られる。
【００２９】
また、前記互いの対向する陰極極板が同一形状のものであるので、生産性の良い電気集塵装置の放電機構が得られる。
【００３０】
また、互いに対向する陰極極板が陰極接点板を介して接続されて構成されたコの字状の陰極極板部と、この陰極極板部の互いに対向した陰極極板間のほぼ中間に設けられた陽極極板の一端に陽極接点板が接続されて構成された陽極極板部と、この陽極極板部及び前記陰極極板部とを収納するボックスと、を備え、前記ボックスが、前記陽極極板の空気流の下流側を覆うリブを具備したので、陽極極板の背面、即ち空気流の下流側に電気伝導性物体が設けられても、陽極極板と伝導物体との沿面距離を大きくできるため、放電遮断性の良い電気集塵装置の放電機構が得られる。
【００３１】
また、前記リブが、前記ボックスの外郭よりも前記陽極極板側に位置するので、
更に沿面距離を大きくできるため、更に放電遮断性の良い電気集塵装置の放電機構が得られる。
【００３２】
また、前記コ字状の陰極極板と陽極極板とからなる放電機構が横方向に長い形状のものであるので、特に、製品が縦又は横に細長い空気調和機等の時は、陰極極板と陽極極板の数を少なくできるため、経済的な電気集塵装置の放電機構が得られる。
【００３３】
また、請求項１から６までのいずれかの電気集塵装置の放電機構が空気調和機風路内の熱交換器の上流側に配置されたので、特に、熱交換器に接近して配置されても、陰極極板と熱交換器との沿面距離を大きく取れるため、放電遮断性が優れ、空気を綺麗にするコンパクトな空気調和機が得られる。
【図面の簡単な説明】
【図１】本発明の電気集塵装置の放電機構の斜視図である。
【図２】本発明の放電機構のプラズマエレメント部の斜視図である。
【図３】本発明の電気集塵装置の放電機構の断面図である。
【図４】本発明の放電機構を用いた空気調和機の概略断面図である。
【図５】従来の電気集塵装置の放電機構の斜視図である。
【図６】従来の電気集塵装置の放電機構を用いた製品の断面図である。
【符号の説明】
４　空気調和機、　５　天井パネル、　６　吸込グリル、　７　送風機、　８熱交換器、　９　吹出口、　１０　フラップ、　１１　陽極極板、　１１ａ　陽極接点板，　１２　陰極極板、　１２ａ　陰極接点板，　１３　ボックス、　１３ａ　リブ、　１４　ボックスカバー。
【図１】
2004050078.tif 000003
【図２】
2004050078.tif 000004
【図３】
2004050078.tif 000005
【図４】
2004050078.tif 000006
【図５】
2004050078.tif 000007
【図６】
2004050078.tif 000008